(57)【要約】【課題】遊技機用施錠・解錠装置の新しい施錠・解錠の仕組み（機構）を提供する。【解決手段】外枠の下部、上部にそれぞれ取り付けられる第１嵌合部材１、第２嵌合部材２と、基枠体Ａに備えられた縦長の支持板３と、基枠体Ａに取り付けられるシリンダ錠４と、縦長の支持板３に取り付けられる外枠解錠用杆５、第１ロック部材６、第２ロック部材７、第１連動部材８、第２連動部材９、第１解錠部材１００および第２解錠部材１１０とから構成し、第１〜第５付勢部材５ｓ，６ｓ，７ｓ，１０ｓ，１１ｓを通じて連動させつつ上下に摺動または回動させることで、遊技機の外枠Ｂの解錠をシリンダ錠４に錠を差し込んで解錠方向に回動することで、第１嵌合部材１、第２嵌合部材２の突出部１１，２１を、支持板３の凹み部３１，３２の嵌合から解除して解錠する。【選択図】図４
2012024453.tif 000002
【特許請求の範囲】
【請求項１】
突出部を有し、外枠に取り付けられる嵌合部材と、
この嵌合部材の突出部が嵌り込む凹み部を有し、基枠体を構成する縦長の支持板と、
この支持板に対し略直角に取り付けられ、鍵が差し込まれて解錠方向に回動されることで、同方向に回動するカム部材を錠軸に備えたシリンダ錠と、
前記シリンダ錠のカム部材に係合する係合孔を有し、第１付勢部材が取り付けられてなり、前記係合孔に前記シリンダ錠のカム部材が係合した状態で、前記シリンダ錠の錠軸が解錠方向に回動されると一方向に摺動し、前記第１付勢部材に前記一方向と逆向きの付勢力を生じさせる外枠解錠用杆と、
前記嵌合部材の突出部の嵌り込む凹部が設けられ、第２付勢部材の一端が取り付けられてなり、前記凹部に前記嵌合部材の突出部が嵌合した状態で、前記シリンダ錠の錠軸が解錠方向に回動され、前記外枠解錠用杆が前記一方向に摺動することで摺動し、前記嵌合部材の突出部と前記凹部との嵌合が解除されるとともに、前記第２付勢部材に付勢力を生じさせるロック部材と、
から構成され、
前記第１付勢部材、前記第２付勢部材の他端が前記支持板に取り付けられることにより、前記シリンダ錠の解錠方向の回動に前記外枠解錠用杆、前記ロック部材が連動し、前記外枠との間の施錠が解錠される、
ことを特徴とする遊技機用施錠・解錠装置。
【発明の詳細な説明】
【技術分野】
【０００１】
本発明は、遊技機を嵌め込む前面枠に取り付けられ、前面枠を外枠に対して施錠する遊技機用施錠・解錠装置に関する。
【背景技術】
【０００２】
遊技機は前面枠を介し、外枠の前面に、ヒンジによって開閉可能に装着されている。さらに前面枠には、前面にガラス枠が開閉可能に装着される。例えば、下記特許文献１等に係る発明では、このような前面枠に取り付けられ、外枠に対し施錠し、且つ、ガラス枠を施錠するパチンコ機の施錠装置として、上部と下部にフック状の係止爪を背面側に突設させた中枠用施錠杆と、上部と下部にフック状の係止爪を正面側（シリンダ錠側）に突設させたガラス枠用施錠杆とを、縦長の基枠体内に上下の摺動可能に配設して構成した施錠装置が提案されている。
【０００３】
特許文献１にて提案された発明では、遊技機の外枠に対して前面枠を閉じると、中枠用施錠杆の係止爪が外枠側に設けた受け金具に摺動しながら係止され、解錠する際は、基枠体の正面側に取り付けたシリンダ錠の錠軸のカム部材により、中枠用施錠杆を摺動させて係止爪と受け金具との係合を外して解錠する。一方、遊技機の前面枠に対しガラス枠を閉じると、ガラス枠用施錠杆の係止爪がガラス枠側に設けた受け金具に摺動しながら係止され、それを解錠する場合は、シリンダ錠の錠軸のカム部材により、ガラス枠用施錠杆を摺動させて係止爪と受け金具との係合を外して解錠する、という構造が開示されている。
【０００４】
しかし、上記構造の施錠装置において、ガラス枠または前面枠を閉じて施錠が完了状態にある場合に、ガラス枠用施錠杆または中枠用施錠杆が摺動可能な状態となることを防止し、施錠状態における針金等の不正器具を挿入し、その先端を係止爪に引っ掛けてガラス枠用施錠杆または中枠用施錠杆を解錠方向に摺動させた場合、不正解錠が可能となる虞がある。
【０００５】
ここで、下記特許文献２等において、施錠状態で中枠施錠杆とガラス枠施錠杆の両方をロックして、針金などの不正器具による不正解錠を防止することができるパチンコ機の施錠装置が提案されている。この施錠装置のカムロック機構は、前面枠を閉じた状態で、中枠ロック部材が中枠ロック受け部材に係止されて、前面枠の移動がロックされ、一方、ガラス枠を閉じた状態で、ガラス枠ロック部材がガラス枠ロック受け部材に係止されて、ガラス枠の移動がロックされるようにして、前面枠とガラス枠の両方の不正器具による不正解錠を防止しようとしたものである。
【先行技術文献】
【特許文献】
【０００６】
【特許文献１】特開平７−２０４３３７号公報
【特許文献２】特開２０１０−１３１２６６号公報
【発明の概要】
【発明が解決しようとする課題】
【０００７】
しかし、不正器具による不正解錠は、度々行われているのが現状である。したがって、上記特許文献１，２に開示された内容の他、不正器具による不正解錠を図るための機構を、多面的に用意しておくことが不正解錠防止の確実のために望ましい。例えば、施錠・解錠の仕組みを、施錠杆の係止爪と外枠側に設けた受け金具との回動による係合手段のほかに用意して、バリエーションをもたせることが有用になるものと考えられる。
【０００８】
本発明は、上記実情を鑑み提案されたもので、遊技機の前面枠を外枠に対して施錠する遊技機用施錠装置に関し、施錠杆の係止爪と外枠側に設けた受け金具との回動による係合手段とは異なる施錠・解錠の仕組みを創作し、バリエーションをもたせて不正解錠防止効果の向上を実現する遊技機用施錠・解錠装置を提供することを目的とする。
【課題を解決するための手段】
【０００９】
上記目的を達成するため、本発明に係る遊技機用施錠・解錠装置は、突出部を有し、外枠に取り付けられる嵌合部材と、この嵌合部材の突出部が嵌り込む凹み部を有し、基枠体を構成する縦長の支持板と、この支持板に対し略直角に取り付けられ、鍵が差し込まれて解錠方向に回動されることで、同方向に回動するカム部材を錠軸に備えたシリンダ錠と、前記シリンダ錠のカム部材に係合する係合孔を有し、第１付勢部材が取り付けられてなり、前記係合孔に前記シリンダ錠のカム部材が係合した状態で、前記シリンダ錠の錠軸が解錠方向に回動されると一方向に摺動し、前記第１付勢部材に前記一方向と逆向きの付勢力を生じさせる外枠解錠用杆と、前記嵌合部材の突出部の嵌り込む凹部が設けられ、第２付勢部材の一端が取り付けられてなり、前記凹部に前記嵌合部材の突出部が嵌合した状態で、前記シリンダ錠の錠軸が解錠方向に回動され、前記外枠解錠用杆が前記一方向に摺動することで摺動し、前記嵌合部材の突出部と前記凹部との嵌合が解除されるとともに、前記第２付勢部材に付勢力を生じさせるロック部材と、から構成され、前記第１付勢部材、前記第２付勢部材の他端が前記支持板に取り付けられることにより、前記シリンダ錠の解錠方向の回動に前記外枠解錠用杆、前記ロック部材が連動し、前記外枠との間の施錠が解錠されることを特徴とする。
【発明の効果】
【００１０】
本発明では、嵌合部材の突出部が支持板の凹み部へ嵌り込むことで施錠され、シリンダ錠に鍵が差し込まれて解錠方向に回動されることで、嵌合部材の突出部が、支持板の凹み部での嵌合を解除させられることにより解錠されるという遊技機用施錠・解錠装置の新たな施錠・解錠の仕組みを提供することができる。具体的には、本発明は、外枠に取り付けられる嵌合部材、基枠体を構成する支持板、および、この支持板に取り付けられるシリンダ錠のほか、シリンダ錠の錠軸が解錠方向に回動されると一方向に摺動し、第１付勢部材に一方向とは逆向きの付勢力を生じさせる外枠解錠用杆と、外枠解錠用杆が一方向に摺動することで摺動し、嵌合部材の突出部と凹部との嵌合が解除されるとともに、第２付勢部材に付勢力を生じさせるロック部材とから構成され、シリンダ錠の解錠方向の回動に外枠解錠用杆、ロック部材が連動して外枠との間の施錠が解錠される仕組みを備える。したがって、施錠杆の係止爪と外枠側に設けた受け金具との回動による係合手段とは異なる手段により、遊技機の前面枠と外枠とを施錠・解錠しているため、多面的なバリエーションを用意して不正器具による不正解錠を図ることができ、不正解錠防止効果の向上を図ることに貢献することができる。
【図面の簡単な説明】
【００１１】
【図１】本発明の一実施形態を示す施錠装置の正面図である。
【図２】図１の背面図である。
【図３】図１の右側面図である。
【図４】図１の左側面図である。
【図５】本発明の一実施形態を示す施錠装置が適用される遊技機に関し、ガラス枠、前面枠、外枠の位置関係を示す左側面図であって、図１におけるＶ−Ｖ断面図である。
【図６】本発明の一実施形態を示す施錠装置の分解斜視図である。
【図７】図７における下部の拡大分解斜視図である。
【図８】図７における上部の拡大分解斜視図である。
【図９】図７における中部の拡大分解斜視図である。
【図１０】本発明の一実施形態を示す施錠装置の下部における施錠を始める直前の状態の左側面を説明する説明図である。
【図１１】本発明の一実施形態を示す施錠装置の下部における施錠状態の左側面を説明する説明図である。
【図１２】本発明の一実施形態を示す施錠装置の下部における解錠中の状態の左側面を説明する説明図である。
【図１３】本発明の一実施形態を示す施錠装置の上部における施錠を始める直前の状態の左側面を説明する説明図である。
【図１４】本発明の一実施形態を示す施錠装置の上部における施錠状態の左側面を説明する説明図である。
【図１５】本発明の一実施形態を示す施錠装置の上部における解錠中の状態の左側面を説明する説明図である。
【図１６】本発明の一実施形態を示す施錠装置の中部における施錠・解錠の機構を説明する説明図であって、（Ａ）は施錠を始める直前の状態および施錠状態の左側面を、（Ｂ）は解錠中の状態の左側面を、それぞれ説明する説明図である。
【図１７】本発明の一実施形態を示す施錠装置の下部における施錠状態の組立斜視図である。
【図１８】本発明の一実施形態を示す施錠装置の上部における施錠状態の組立斜視図である。
【図１９】本発明の一実施形態を示す施錠装置の中部における施錠状態の組立斜視図である。
【発明を実施するための形態】
【００１２】
以下、本発明の実施形態を、図面を参照しつつ詳述する。
【００１３】
本発明に係る遊技機用施錠・解錠装置（以下、単に「施錠装置」という。）は、図１〜図５（特に、図３、図４）に示すように、外枠の下部、上部にそれぞれ取り付けられる第１嵌合部材１、第２嵌合部材２と、基枠体Ａを構成する縦長の支持板３と、基枠体Ａに取り付けられるシリンダ錠４と、縦長の支持板３に取り付けられる外枠解錠用杆５、第１ロック部材６、第２ロック部材７、第１連動部材８、第２連動部材９、第１解錠部材１００および第２解錠部材１１０とから少なくとも構成されている。施錠装置は、これらの構成部品を、支持板３に連結部材１２０を介して取り付けられる第１付勢部材５ｓと、支持板３に片側が取り付けられている第２〜第５付勢部材，６ｓ，７ｓ，１０ｓ，１１ｓとを通じて連動させて、上下の摺動または回動を起こさせ、これにより遊技機の外枠Ｂに対する解錠を果たしている。具体的には、遊技機の外枠Ｂの解錠は、シリンダ錠４に鍵が差し込まれて解錠方向に回動されることで、第１嵌合部材１、第２嵌合部材２の突出部１１，２１が、支持板３の凹み部３１，３２での嵌合から解除させられることで起こり、従来のような施錠杆の係止爪と外枠側に設けた受け金具との回動による係合手段による施錠・解錠とは仕組みが異なる。なお、本発明における施錠のための機構は、後述のとおり、上記構成部品の一部が連動することで果たされる。また、第１〜第５付勢部材５ｓ，６ｓ，７ｓ，１０ｓ，１１ｓは、例えば、コイルばねを採用すればよい。以下、説明の便宜のために、遊技機用施錠・解錠装置の各面に関し、シリンダ錠４が取り付けられる面を正面として説明する。
【００１４】
ここで、基枠体Ａとは、図６〜図９に示すように、施錠装置の本体フレームをいう。基枠体Ａは、正面側（手前側）の断面コ字状部Ａａと背面側（奥行き側）の断面Ｌ字状部Ａｂを一体にして縦長のチャンネル材状に形成されている。断面コ字状部Ａａの正面側下部には、側端に奥行き方向へ折り曲がる折曲げ片Ａｃ１を有する取付部Ａｃが延設され、この取付部Ａｃに設けられている開口孔を通じてシリンダ錠４が取り付けられる。基枠体Ａを構成する縦長の支持板３とは、断面コ字状部Ａａと背面側の断面Ｌ字状部Ａｂとを繋ぐ平板状部分をいう。また、縦長の支持板３のうち、取付部Ａｃの背面側の近傍部分は開口部３ａとされている。
【００１５】
そして、基枠体Ａにおける支持板３の左側（左側面側）には、外枠解錠用杆５と、第１ロック部材６と、第２ロック部材７と、第１連動部材８と、第２連動部材９とが配置される。第１解錠部材１００および第２解錠部材１１０は、基枠体Ａにおける支持板３の右側（右側面側）に配置される。特に、これらの部材は、複数のガイドピンとガイド孔を介して上下摺動可能に、又は、所定方向に回動可能に支持板３に装着されている。
【００１６】
また、基枠体Ａは、断面コ字状部Ａａと断面Ｌ字状部Ａｂが一体に形成され、その幅方向にそれら３個所の角部が形成されるため、長手方向に対し充分な曲げ強度を有し、金属板をプレス加工により折曲・裁断・打抜き加工するのみで製作することが可能である。なお、基枠体Ａの下部には、図示を省略したが、合成樹脂製の滑動支持部材が背面側に突出するように設けることが好ましい。滑動支持部材は、突出方向へ先細り形状かつ傾斜面に形成すれば、外枠Ｂに対し閉じる際、外枠Ｂ内の下部に乗り上げるように作用して、遊技機が取り付けられている前面枠Ｃの重量による下方へのずれを修正することができる。また、この滑動支持部材を、基枠体Ａの支持板３に嵌着させることで、断面Ｌ字状部Ａｂの断面形状の変形を防止し、堅固にその形状を保持することも可能である。
【００１７】
本発明において外枠Ｂとは、図５に示すように、遊技機が取り付けられる前面枠Ｃとの間で、基枠体Ａを介して施錠・解錠させられる外側のフレームをいうものである。
【００１８】
なお、ガラス枠を施錠・解錠するための鉤部１３０については、従来と同様、断面Ｌ字状部Ａｂの背面側から突出するように取り付ければよい。例えば、鍵をシリンダ錠４に差し込み、遊技機の外枠Ｂの解錠と逆方向に回したときに、シリンダ錠４の錠軸４１の回動に伴ってガラス枠解錠用杆を摺動させるようにし、続いて、このガラス枠解錠用杆の摺動に連動させて鉤部を解錠方向に回動させるようにすればよい。
【００１９】
以下、施錠装置を構成する各構成部品の形状、機能等につき、図６〜図９を参照しつつ、構成部品毎に詳細に説明する。
【００２０】
第１嵌合部材１、第２嵌合部材２は、平面状の外枠取付部１２，２２から略垂直に突出部１１，１２を突出させて形成されている。特に、突出部１１，２１の突出させた先端に、前面枠Ｃの基枠体Ａに取り付けられた縦長の支持板３の凹み部３１，３２へ嵌り込んで嵌合する円柱体１１ａ，２１ａが設けられている。また、円柱体１１ａ，２１ａは、第１ロック部材６の凹部６１、第２ロック部材７の凹部７１へも嵌り込んで嵌合する。第１嵌合部材１の外枠取付部１２は外枠Ｂの下部に、第２嵌合部材２の外枠取付部２２は外枠Ｂの上部に、突出部１１，２１を内側（左側）に向けてそれぞれ取り付けられる（以上、図６〜図８を参照）。
【００２１】
第１嵌合部材１と第２嵌合部材２とは、本実施形態において相互に鏡像体の関係をなすものであるが、支持板３の凹み部３１，３２の位置、形状等を工夫する等により、同一のものを用いることも可能である。
【００２２】
縦長の支持板３は、上述のとおり、基枠体Ａの一部を構成する平板状部分であり、上部、下部の背面側（奥行き側）に、第１嵌合部材１、第２嵌合部材２の突出部１１，２１の円柱体１１ａ，２１ａが嵌り込む凹み部３１，３２を有している。また、支持板３には、左側に第１，第３付勢部材５ｓ，７ｓの端部を引っ掛けるための引っ掛け部３５ｃ，３７ｃが、右側に第２付勢部材６ｓと、第４、第５付勢部材１０ｓ，１１ｓの端部を引っ掛けるための引っ掛け部３６ｃ，３１０ｃ，３１１ｃが設けられている。また、上述のとおり、支持板３のうち取付部Ａｃの背面側の近傍部分は、開口部３ａとされている（以上、図６〜図９を参照）。この開口部３ａは、組立の最終段階にて、これを覆うカバー（図示省略）が取り付けられ、不正に挿入された不正器具等が開口部３ａに収容されている外枠解錠用杆５、第１ロック部材６、第１解錠部材１００、第２付勢部材、第４付勢部材等の構成部品に到達することが防止されている。
【００２３】
シリンダ錠４は、上述のとおり、基枠体Ａの断面コ字状部Ａａの正面側下部に設けられた取付板Ａｃの開口孔を通じ、錠軸４１が支持板３側に挿入されるようにして取り付けられる。したがって、基枠体Ａの一部である支持板３に対し、略直角の位置関係にある。また、錠軸４１にはカム部材としての凸片４ａが２つ設けられ、この凸片４ａは、鍵が差し込まれて外枠Ｂに対して解錠方向（例えば、時計回り）に回動させられることで、時計回りに回動する、すなわち、シリンダ錠４の動きは、鍵を差し込んで右に回したとき、凸片４ａが同方向に回動し、後述する外枠解錠用杆５の係合孔５１に係合し、それを上方に摺動させるようになっている（以上、図６，図７を参照）。なお、本発明では、シリンダ錠に関し、凸片のようなカムの機能を有し、外枠解錠用杆の作動様式を損なわないものである限り、例えば、錠軸が時計回りに回動することで、外枠との解錠に寄与するものとなり、反時計回りに回動することで、図示を省略したガラス枠との解錠に寄与するものとなる公知のシリンダ錠を採用すれば足りる。
【００２４】
外枠解錠用杆５は、支持板３よりもやや幅狭の縦長状で、基枠体Ａの支持板３よりも左側（左側面側）に重なるように配置される。長手方向の途中には、シリンダ錠４が取り付けられる取付板Ａｃの折曲げ片Ａｃ１に側面が接して、取付板Ａｃに支持される湾曲部５ａが形成されている。この湾曲部５ａには、上述のように、シリンダ錠４の錠軸４１の凸片４ａに係合する係合孔５１が２つ設けられている。また、この係合孔５１とは異なる湾曲部５ａよりも上側の位置に、第１連動部材８の凸部８１が挿入され、この凸部８１がガイドされる細長い矩形状の第１孔部５２、第２連動部材９の凸部９１が挿入され、この凸部９１がガイドされる細長い矩形状の第２孔部５３がそれぞれ設けられている。特に、第１孔部５２は外枠解錠用杆５の幅方向のほぼ中心位置に、第２孔部５３は外枠解錠用杆５の幅方向のほぼ右端位置、すなわち、正面側（手前側）に設けられている。このほか、外枠解錠用杆５には、その上部、中間部、下部にガイド孔が形成され、それらのガイド孔にガイドピンが挿通される。この、ガイド孔とガイドピンとにより、外枠解錠用杆５は上下に所定の範囲内で上下摺動するようにガイドされる。
【００２５】
また、外枠解錠用杆５の長手方向の中部には、第１付勢部材５ｓを嵌め込むための取付孔５４ａが形成されている。この取付孔５４ａの上下方向の両脇には、凸形状の取付孔５４ｂ，５４ｃも形成されている。凸形状の取付孔５４ｂ，５４ｃは、第１付勢部材５ｓの両端に取り付けられる連結部材１２０を係合させるとともに、連結部材１２０をガイドするための孔である。連結部材１２０は、くの字状のツメ１２１と、凸形状の取付孔５４ｂ，５４ｃに係合するように幅太端１２２ａがＬ字に折り曲げ形成された基部１２２とからなる形態を有し、ツメ１２１が第１付勢部材５ｓに引っ掛けられ、幅太端１２２ａが凸形状の取付孔５４ｂ，５４ｃに係合させられる。
【００２６】
外枠解錠用杆５が支持板３に重なるように配設された状態で、第１付勢部材５ｓの両端に連結部材１２０のツメ１２１をそれぞれ取り付け、第１付勢部材５ｓを取付孔５４ａに嵌め込むと、連結部材１２０の基部１２２が凸形状の取付孔５４ｂ，５４ｃに係合し、さらに基部１２２の先端の幅太端１２２ａの内側が、支持板３の引っ掛け部３５ｃの外側に引っ掛かるようになる。そうすると、支持板３の引っ掛け部３５ｃを支点に、外枠解錠用杆５の上下の摺動に応じて、連結部材１２０が凸形状の取付孔５４ｂ，５４ｃにガイドされ、第１付勢部材５ｓの付勢力が、外枠解錠用杆５を常に元の位置に安定させる向きに生じるようになる。すなわち、第１付勢部材５ｓは、支持板３との位置関係において、外枠解錠用杆５が上向きに摺動すれば、下向きの付勢力を外枠解錠用杆５に与え、外枠解錠用杆５が下向きに摺動すれば、上向きの付勢力を外枠解錠用杆５に与える（以上、図６〜図９を参照）。
【００２７】
第１ロック部材６は、第１嵌合部材１の円柱体１１ａの嵌り込む凹部６１が下端部に設けられ、上端部の一部に、後述する第１連動部材８が回動可能となるように切り欠き６ａが形成された略矩形板状のもので、第２付勢部材６ｓの一端が取り付けられて構成されている。また、支持板３に対して、支持板３から突出している凸嵌部に遊嵌されている。第２付勢部材６ｓの他端は、支持板３の引っ掛け部３６ｃに引っ掛けられている。そして、シリンダ錠４の錠軸４１が解錠方向に回動され、外枠解錠用杆５が上向きに摺動すると、後述する第１連動部材８の回動を介して、上向きに摺動するとともに、第２付勢部材６ｓに下向きの付勢力を生じさせるようになる。また、第１ロック部材６が上向きに摺動すると第１嵌合部材１の円柱体１１ａと凹部６１との嵌合が解除される（以上、図６，図７を参照）。
【００２８】
第２ロック部材７は、第２嵌合部材２の円柱体２１ａの嵌り込む凹部７１が上端部に設けられ、下端部の一部に、後述する第２連動部材９が回動可能となるように切り欠き７ａが形成された略矩形板状のもので、第３付勢部材７ｓの一端が取り付けられて構成されている。また、支持板３に対して、支持板３から突出している凸嵌部に遊嵌されている。第３付勢部材７ｓの他端は、支持板３の引っ掛け部３７ｃに引っ掛けられている。そして、シリンダ錠４の錠軸４１が解錠方向に回動され、外枠解錠用杆５が上向きに摺動すると、後述する第２連動部材９の回動を介して、下向きに摺動するとともに、第３付勢部材７ｓに上向きの付勢力を生じさせるようになる。また、第２ロック部材７が上向きに摺動すると第２嵌合部材２の円柱体２１ａと凹部７１との嵌合が解除される（以上、図６，図８を参照）。
【００２９】
なお、第１ロック部材６と第２ロック部材７とは相互に鏡像体の関係をなすように形成すればよい。
【００３０】
第１連動部材８は、略楕円板形状のもので、外枠解錠用杆５の第１孔部５２に挿入される凸部８１が円板形状の中心部上に設けられている。また、一端側（正面側に配置される側）が支持板３にピンにより取り付けられ、他端側が第１ロック部材６の上端部に適宜の手段により連結されている。そして、凸部８１が外枠解錠用杆５の第１孔部５２に挿入された状態で、シリンダ錠４の錠軸４１が解錠方向に回動され、外枠解錠用杆５が上向きに摺動するようになると、凸部８１が第１孔部５２にガイドされながら、ピンを支点として上向き、すなわち時計回りに回動し、上述のとおり、第１ロック部材６を上向きに摺動させるようになる（以上、図６，図７を参照）。
【００３１】
第２連動部材９は、略楕円板形状のもので、外枠解錠用杆５の第２孔部５３に挿入される凸部９１が円板形状の一端部（正面側に配置される側）上に設けられている。また、中心部にて支持板３にピンにより取り付けられ、他端側が第２ロック部材７の下端部にも適宜の手段により連結されている。そして、凸部９１が外枠解錠用杆５の第２孔部５３に挿入された状態で、シリンダ錠４の錠軸４１が解錠方向に回動され、外枠解錠用杆５が上向きに摺動するようになると、凸部９１が第２孔部５３にガイドされながら、ピンを支点として下向き、すなわち反時計回りに回動し、上述のとおり、第２ロック部材７を下向きに摺動させるようになる（以上、図６，図８を参照）。
【００３２】
なお、第１ロック部材６と第２ロック部材７とは、同一の略楕円形状に形成すればよいが、ガイドピンを取り付けるガイド孔、凸部８１，９１の設ける位置等については、上述のとおりであるので留意すべきである。
【００３３】
第１解除部材１００は、第１嵌合部材１の円柱体１１ａと衝合し、これを奥行き方向へと押し出す衝合辺１０１ａ、および、第１ロック部材６の下部に衝合する衝合凸部１０１ｂを有する衝合部１０１を備えるようにＬ字状に形成され、奥行き方向に付勢する第４付勢部材１０ｓの一端が取り付けられて構成されている。また、支持板３に対してピンを通じて衝合部１０１とは逆の先端にて固定されている。第４付勢部材１０ｓの他端は、支持板３の引っ掛け部３１０ｃに引っ掛けられている。そして、第１ロック部材６の上向きの摺動によって、衝合部１０１の衝合凸部１０１ｂと第１ロック部材６との下側部における衝合が解除されるとともに、ピンを支点にして奥行き方向に摺動することで、衝合辺１０１ａが第１嵌合部材１の突出部１１に衝合し、これを奥行き方向へと押し出すようになる。また、第１嵌合部材１を奥行き方向へと押し出した後は、衝合部１０１の衝合凸部１０１ｂが第１ロック部材６の下端部に衝合し、第２付勢部材６ｓの下向きの付勢力に対抗して第１ロック部材６が下向きに摺動しないように機能する（以上、図６，図７を参照）。
【００３４】
第２解除部材１１０は、第２嵌合部材２の円柱体２１ａと衝合し、これを奥行き方向へと押し出す衝合辺１１１ａ、および、第２ロック部材７の上部に衝合する衝合凸部１１１ｂを有する衝合部１１１を備えるようにＬ字状に形成され、奥行き方向に付勢する第５付勢部材１１ｓの一端が取り付けられて構成されている。また、支持板３に対してピンを通じて衝合部１１１とは逆の先端にて固定されている。第５付勢部材１１ｓの他端は、支持板３の引っ掛け部３１１ｃに引っ掛けられている。そして、第２ロック部材７の下向きの摺動によって、衝合部１１１の衝合凸部１１１ｂと第２ロック部材７との上側部における衝合が解除されるとともに、ピンを支点にして奥行き方向に摺動することで、衝合辺１１１ａが第２嵌合部材２の突出部２１に衝合し、これを奥行き方向へと押し出すようになる。また、第２嵌合部材２を奥行き方向へと押し出した後は、衝合部１１１の衝合凸部１１１ｂが第２ロック部材７の上端部に衝合し、第３付勢部材７ｓの下向きの付勢力に対抗して第２ロック部材７が上向きに摺動しないように機能する（以上、図６，図８を参照）。
【００３５】
なお、第１解除部材１００と第２解除部材１１０とは相互に鏡像体の関係をなすように形成すればよい。
【００３６】
ここで、上述した各構成物品に関し、図６〜図９、図１７〜１９等を参照しつつ、改めて相互の位置関係等について簡単に説明しておく。
【００３７】
まず、支持板３の左側に配置されるのが、第１ロック部材６と第２ロック部材７である。特に、第１ロック部材６の凹部６１と支持板３の凹み部３１が位置合わせされ、第２ロック部材７の凹部７１と支持板３の凹み部３２とが位置合わせされて配置される。第２付勢部材６ｓ、第３付勢部材７ｓについては、第１ロック部材６と第２ロック部材７を支持板３の左側に配置する際に取り付ければよい。
【００３８】
また、第１ロック部材６の切り欠き６ａには、第１連動部材８が回動可能となるように配置される。第１連動部材８は、第１ロック部材６の支持板３とは逆側から、凸部８１を支持板３とは逆側に向けて、第１ロック部材６の上端部にて連結させて取り付けられる。第２ロック部材７の切り欠き７ａには、第２連動部材９が回動可能となるように配置される。第２連動部材９は、第２ロック部材７の支持板３とは逆側から、凸部９１を支持板３とは逆側に向けて、第２ロック部材７の下端部にて連結させて取り付けられる。シリンダ錠４についても、基枠体Ａの取付板Ａｃの開口孔を通じて錠軸４１が支持板３側に挿入され、凸片４ａを支持板３とは逆側に向けて配置される。
【００３９】
さらに、外枠解錠用杆５が、第１ロック部材６、第２ロック部材７、第１連動部材８、第２連動部材９、シリンダ錠４の凸片４ａを覆うようにして支持板３に重ねて配置される。このとき、外枠解錠用杆５の第１孔部５２に第１連動部材８の凸部８１が挿入されるようにし、第２孔部５３に第２連動部材９の凸部９１が挿入されるようにする。係合孔５１へは、シリンダ錠４の凸片４ａが挿入されるようにする。そして、このとき、第１付勢部材５ｓの両端に連結部材１２０のツメ１２１をそれぞれ取り付け、第１付勢部材５ｓを取付孔５４ａに嵌め込み、連結部材１２０の基部１２２を凸形状の取付孔５４ｂ，５４ｃに係合させて、先端の幅太端１２２ａの内側を支持板３の引っ掛け部３５ｃの外側に引っ掛けるようにすればよい。
【００４０】
一方、支持板３の右側に配置されるのが、第１解除部材１００および第２解除部材１１０である。第１解除部材１００の衝合凸部１０１ｂは、支持板３の衝合凸部用孔を通じて位置決めされ、第１ロック部材６の下部に衝合するように配置される。第２解除部材１１０の衝合凸部１１１ｂは、支持板３の衝合凸部用孔を通じて位置決めされ、第２ロック部材７の下部に衝合するように配置される。なお、第４付勢部材１０ｓ、第５付勢部材１１ｓは、第１解除部材１００と第２解除部材１１０を上述のように配置する際に取り付ければよい。
【００４１】
そして、このとき外枠Ｂは施錠状態にあるため、支持板３の凹み部３１、第１ロック部材６の凹部６１には、第１嵌合部材１の円柱体１１ａが嵌合される。また、支持板３の凹み部３２、第２ロック部材７の凹部７１には、第２嵌合部材２の円柱体２１ａが嵌合されることになる。
【００４２】
以下、施錠装置の外枠Ｂの解錠作業における各構成部品の挙動を、図１０〜１６を参照しつつ、下部、上部、中部の順に説明する。
【００４３】
（１）施錠装置の下部における各構成部品の挙動
図１１に示すような施錠状態において、鍵の操作によりシリンダ錠４の錠軸４１と共に凸片４ａが回動すると、まず、凸片４ａが係合している係合孔５１を通じて外枠解錠用杆５が上向きに摺動する。外枠解錠用杆５が上向きに摺動すると、外枠解錠用杆５の第１孔部５２も上向きに摺動するため、第１孔部５２に挿入された第１連動部材８の凸部８１も上向きに動こうとして、第１連動部材８がピンを支点に時計回りに回動する。第１連動部材８がピンを支点に時計回りに回動すると、取り付けられている第１ロック部材６が上向きに摺動する。第１ロック部材６が上向きに摺動すると、第１嵌合部材１の円柱体１１ａと凹部６１との嵌合が解除されるとともに、第１ロック部材６の下側部に衝合していた第１解除部材１００の衝合凸部１０１ｂが外れ、第４付勢部材１０ｓの付勢力に基づいて、第１解除部材１００の衝合辺１０１ａが第１嵌合部材１の突出部１１に衝合し、第１嵌合部材１を支持板３の凹み部３１から外部へ押し出して外枠Ｂの解錠が果たされ、図１２に示されるような状態になる。なお、第１嵌合部材１が奥行き方向へと押し出された後は、第１解除部材１００は、衝合部１０１の衝合凸部１０１ｂが第１ロック部材６の下端部に衝合して第２付勢部材６ｓの下向きの付勢力に対抗するため、第１ロック部材６の下向きに摺動が阻止されることになる。
【００４４】
（２）施錠装置の上部における各構成部品の挙動
上記（１）のとき、図１４に示す施錠装置の上部では、外枠解錠用杆５が上向きに摺動すると、外枠解錠用杆５の第２孔部５３も上向きに摺動するため、第２孔部５３に挿入された第２連動部材９の凸部９１も上向きに動こうとして、第２連動部材９がピンを支点に反時計回りに回動する。第２連動部材９がピンを支点に反時計回りに回動すると、取り付けられている第２ロック部材７が下向きに摺動する。第２ロック部材７が下向きに摺動すると、第２嵌合部材２の円柱体２１ａと凹部７１との嵌合が解除されるとともに、第２ロック部材７の上側部に衝合していた第２解除部材１１０の衝合凸部１１１ｂが外れ、第５付勢部材１１ｓの付勢力に基づいて、第２解除部材１１０の衝合辺１１０ａが第２嵌合部材２の突出部２１に衝合し、第２嵌合部材２を支持板３の凹み部３２から外部へ押し出して外枠Ｂの解錠が果たされ、図１５に示されるような状態になる。なお、第２嵌合部材２が奥行き方向へと押し出された後は、第２解除部材１１０は、衝合部１１１の衝合凸部１１１ｂが第２ロック部材７の上端部に衝合して第３付勢部材７ｓの下向きの付勢力に対抗するため、第２ロック部材７の上向きの摺動が阻止されることになる。
【００４５】
（３）施錠装置の上部における各構成部品の挙動
一方、上記（１）のとき、図１６（Ａ）に示す施錠装置の中部では、施錠装置の中部では、外枠解錠用杆５が上向きに摺動すると、図１６（Ｂ）に示されるような状態になるものの、上側の連結部材１２０の基部１２２が取付孔５４ｃへの係合によって引っ張られる一方、下側の連結部材１２０の基部１２２が支持板３の引っ掛け部３５ｃを支点に固定されるため、第１付勢部材５ｓの付勢力が、外枠解錠用杆５を常に元の位置に安定させる向き、すなわち、第１付勢部材５ｓは、下向きの付勢力を外枠解錠用杆５に与えて、上部、下部において解錠が果たされるとほぼ同時に下向きに摺動し、元の位置に戻って図１６（Ａ）に示されるような状態になる。
【００４６】
（４）施錠装置の下部における各構成部品の挙動
次に、図１０に示すような解錠状態において、第１嵌合部材１を支持板３の凹み部３１へ嵌合させるようにすると、まず、第１嵌合部材１の突出部１１が第１解除部材１００の衝合辺１０１ａに衝合し、第４付勢部材１０ｓの付勢力に反して第１解除部材１００が押し込まれる。第１解除部材１００が押し込まれると、第１ロック部材６は、第１解除部材１００の衝合凸部１０１ｂによる衝合がなくなるので、第２付勢部材６ｓによって下向きに付勢されて下向きに摺動し、第１嵌合部材１の円柱体１１ａと凹部６１とが嵌合するとともに、第１解除部材１００の衝合凸部１０１ｂが下側部に衝合するようになる。また、第１ロック部材６が下向きに摺動すると、第１連動部材８がピンを支点に反時計回りに回動する。しかし、外枠解錠用杆５は元の位置に戻っているために、第１連動部材８の回動が第１孔部５２を介して外枠解錠用杆５に影響を及ぼすことなく、外枠Ｂの施錠が完了して図１１に示されるような状態になる。
【００４７】
（５）施錠装置の上部における各構成部品の挙動
上記（５）のとき、図１３に示す施錠装置の上部では、第２嵌合部材２を支持板３の凹み部３２へ嵌合させるようにすると、まず、第２嵌合部材２の突出部２１が第２解除部材１１０の衝合辺１１１ａに衝合し、第５付勢部材１１ｓの付勢力に反して第２解除部材１１０が押し込まれる。第２解除部材１１０が押し込まれると、第２ロック部材７は、第１解除部材１１０の衝合凸部１１１ｂによる衝合がなくなるので、第３付勢部材７ｓによって上向きに付勢されて上向きに摺動し、第２嵌合部材２の円柱体２１ａと凹部７１とが嵌合するとともに、第２解除部材１１０の衝合凸部１１１ｂが上側部に衝合するようになる。また、第２ロック部材７が上向きに摺動すると、第２連動部材９がピンを支点に時計回りに回動する。しかし、外枠解錠用杆５は元の位置に戻っているために、第２連動部材９の回動が第２孔部５３を介して外枠解錠用杆５に影響を及ぼすことなく、外枠Ｂの施錠が完了して図１４に示されるような状態になる。
【００４８】
（６）施錠装置の上部における各構成部品の挙動
一方、上記（４）のとき、図１６（Ａ）に示す施錠装置の中部では、上述のように、外枠解錠用杆５は元の位置に戻っているために、第１連動部材８、第２連動部材９の回動が第１孔部５２、第２孔部５３を介して外枠解錠用杆５に影響を及ぼすことないので静止したままである。
【００４９】
上記構成の施錠装置は、図１、図５に示すように、遊技機の前面枠の右端自由端側に縦に固定されて使用されるが、施錠機構の主要部となる外枠解錠用杆５等は、基枠体Ａの支持板３の左側面に装着され、前面枠の自由端側に対して支持板３が壁となる。また、支持板３の開口部３ａ等はカバーで覆われているため、施錠した状態で、遊技機と前面枠の右端自由端側の隙間、或いは前面枠とガラス枠の右端自由端側の隙間などから、不正解錠を狙って針金などの不正器具を差し込まれたとしても、基枠体Ａの支持板３、カバーなどが壁となって、不正器具が外枠解錠用杆５等に到達せず、不正解錠を防止することができる。
【００５０】
したがって、本発明では、不正解錠を防止しつつ、外枠Ｂに対して良好に施錠・解錠を行うことができる。また、従来のような施錠杆の係止爪と外枠側に設けた受け金具との回動による係合手段による施錠・解錠とは仕組みが異なり、第１嵌合部材１、第２嵌合部材２の突出部１１，２１（円柱体１１ａ，２１ａ）が支持板３の凹み部３１，３２へ嵌り込むことで施錠され、シリンダ錠４に錠が差し込まれて解錠方向に回動されることで、第１嵌合部材１、第２嵌合部材２の突出部１１，２１（円柱体１１ａ，２１ａ）が、支持板３の凹み部３１，３２での嵌合を解除させられることにより解錠されるという新たな施錠・解錠の仕組みであるので、多面的なバリエーションを用意して不正器具による不正解錠を図ることができ、不正解錠防止効果の向上を図ることに貢献することができる。
【００５１】
以上、本発明の実施形態の一つを詳述したが、本発明は、これに限定されるものではない。そして、本発明は、特許請求の範囲に記載された事項を逸脱することがなければ、種々の設計変更を行うことが可能である。例えば、支持枠をはじめ各構成部品の材質等は、金属等のそれぞれ公知または周知の技術手段によって達成することができる。また、適宜プラスチック製の部材に置き換えること等により、コストダウンを図ることも可能である。
【符号の説明】
【００５２】
Ａ・・・・・・・・・・・基枠体
Ａａ・・・・・・・・・・断面コ字状部
Ａｂ・・・・・・・・・・断面Ｌ字状部
Ａｃ・・・・・・・・・・取付部
Ａｃ１・・・・・・・・・折曲げ片
Ｂ・・・・・・・・・・・外枠
Ｃ・・・・・・・・・・・前面枠
１・・・・・・・・・・・第１嵌合部材
１１・・・・・・・・・・突出部
１１ａ・・・・・・・・・円柱部
１２・・・・・・・・・・外枠取付部
２・・・・・・・・・・・第２嵌合部材
２１・・・・・・・・・・突出部
２１ａ・・・・・・・・・円柱部
２２・・・・・・・・・・外枠取付部
３・・・・・・・・・・・支持板
３１，３２・・・・・・・凹み部
３ａ・・・・・・・・・・開口部
３５ｃ，３６ｃ，３７ｃ・引っ掛け部
３１０ｃ，３１１ｃ・・・引っ掛け部
４・・・・・・・・・・・シリンダ錠
４１・・・・・・・・・・錠軸
４ａ・・・・・・・・・・凸片
５・・・・・・・・・・・外枠解錠用杆
５１・・・・・・・・・・係合孔
５２・・・・・・・・・・第１孔部
５３・・・・・・・・・・第２孔部
５ａ・・・・・・・・・・湾曲部
５４ａ，５４ｂ，５４ｃ・取付孔
５ｓ・・・・・・・・・・第１付勢部材
６・・・・・・・・・・・第１ロック部材
６１・・・・・・・・・・凹部
６ａ・・・・・・・・・・切り欠き
６ｓ・・・・・・・・・・第２付勢部材
７・・・・・・・・・・・第２ロック部材
７１・・・・・・・・・・凹部
７ａ・・・・・・・・・・切り欠き
７ｓ・・・・・・・・・・第３付勢部材
８・・・・・・・・・・・第１連動部材
８１・・・・・・・・・・凸部
９・・・・・・・・・・・第２連動部材
９１・・・・・・・・・・凸部
１００・・・・・・・・・第１解錠部材
１０１・・・・・・・・・衝合部
１０１ａ・・・・・・・・衝合辺
１０１ｂ・・・・・・・・衝合凸部
１０ｓ・・・・・・・・・第４付勢部材
１１０・・・・・・・・・第２解錠部材
１１１・・・・・・・・・衝合部
１１１ａ・・・・・・・・衝合辺
１１１ｂ・・・・・・・・衝合凸部
１１ｓ・・・・・・・・・第５付勢部材
１２０・・・・・・・・・連結部材
１２１・・・・・・・・・ツメ
１２２・・・・・・・・・基部
１２２ａ・・・・・・・・幅太端
１３０・・・・・・・・・鉤部
【図１】
2012024453.tif 000003
【図２】
2012024453.tif 000004
【図３】
2012024453.tif 000005
【図４】
2012024453.tif 000006
【図５】
2012024453.tif 000007
【図６】
2012024453.tif 000008
【図７】
2012024453.tif 000009
【図８】
2012024453.tif 000010
【図９】
2012024453.tif 000011
【図１０】
2012024453.tif 000012
【図１１】
2012024453.tif 000013
【図１２】
2012024453.tif 000014
【図１３】
2012024453.tif 000015
【図１４】
2012024453.tif 000016
【図１５】
2012024453.tif 000017
【図１６】
2012024453.tif 000018
【図１７】
2012024453.tif 000019
【図１８】
2012024453.tif 000020
【図１９】
2012024453.tif 000021